(57)【要約】      （修正有）【課題】写真の向きや飾る場所に応じて容易に変形できる写真フレームを提供する。【解決手段】本体部１の左右の頁に写真を収納でき、この本体部の下端部の左右の外側付近から引っ掛け具２Ｌ等を設け、この引っ掛け具の先端が引っ掛かるよう本体部の上端部の左右の外側付近から係止部３Ｌ等を設ける。写真が外側を向くよう二つ折りし、引っ掛け具２Ｌ等を設けた頁と異なる頁の係止部３Ｌ等にそれぞれ引っ掛け具の先端を引っ掛けると、左右の頁が所定の角度以上に傾かないため、横向き専用の写真フレームに変更することができる。一方、引っ掛け具２Ｌ等を設けた頁と同じ頁の係止部３Ｌ等にそれぞれ本体部１の外側から引っ掛け具の先端を引っ掛けると、この引っ掛け具が固定され見端がよくなるため、見開いた縦向き専用の写真フレームに変形することができる。また引っ掛け具２Ｌ等で本体部１を吊るせば、横向き及び縦向き写真専用の壁掛けフレームに変形できる。【選択図】図１
0003172261.tif 000002
【実用新案登録請求の範囲】
【請求項１】
左右の頁に写真を収納する二つ折り可能な本体部と、この本体部の下端部の左右の外側付近の少なくとも一方から設けた引っ掛け具と、上端部の左右の外側付近から設けた係止部とを備え、
上記本体部は、矩形の土台部材とこの土台部の左右の頁それぞれに設けた窓枠部材とが重なって構成され、
卓上で横向きの写真を飾る場合、それぞれの写真が外側を向くように上記本体部を折り、上記引っ掛け具の先端をこの引っ掛け具が設けてある頁と異なる頁に設けてある係止部に係止し、この本体部の左端部と右端部とを底部にしてこの本体部を置く
ことを特徴とする写真フレーム。
【請求項２】
卓上で縦向きの写真を飾る場合、それぞれの写真が内側を向くように上記本体部を折り、上記引っ掛け具の先端をこの引っ掛け具が設けてある頁と同じ頁に設けてある係止部にこの本体部の外側から係止し、又はそれぞれの写真が外側を向くように上記本体部を折り、上記引っ掛け具の先端をこの引っ掛け具が設けてある頁と異なる頁に設けてある係止部に係止し、上記本体部の下端部を底部にしてこの本体部を置く
ことを特徴とする請求項１に記載の写真フレーム。
【請求項３】
壁に掛けて写真を飾る場合、写真の向きに応じて、上記引っ掛け具の先端をこの引っ掛け具が設けてある頁と同じ頁に設けてある係止部にそれぞれ係止して一方の引っ掛け具で上記本体部を吊下げ、又はそれぞれの引っ掛け具でこの本体部を吊下げる
ことを特徴とする請求項１又は２に記載の写真フレーム。
【請求項４】
上記窓枠部材の裏面には、上記写真を挿入する挿入溝と、上記引っ掛け具を挿通する挿通溝とが設けてあり、
上記引っ掛け具は、上記挿入溝及び上記挿通溝を介して上記本体部を貫通し、この引っ掛け具の末端に上記係止部が設けてある
ことを特徴とする請求項１乃至３のいずれかの１に記載の写真フレーム。
【考案の詳細な説明】
【技術分野】
【０００１】
本考案は、写真やイラスト等を飾る写真フレームに関し、特に縦向き及び横向きの写真に対応し、卓上用にも壁掛け用にもなる写真フレームに関する。
【背景技術】
【０００２】
従来から、写真を取るときには被写体の大きさや形状に合わせてカメラの向きを横や縦にして写真撮影していた。このため現像した写真を飾るときは、写真立てや写真フレームの向きに合う写真を取捨選択しなければならなかった。したがって例えば横向きの写真を飾りたくても、縦向きの写真専用フレームしかなければ飾ることができず、別途横向きの写真専用フレームを購入せざるを得なかった。
【０００３】
そこで写真を飾る本体部の裏に保持体を設け、この保持体で所定の角度に本体部を保持し、縦横両方に使用できる写真立てが提案されている（例えば特許文献１。）。この写真立てでは、本体部と保持体とを規制帯で繋いて所定の角度以上に傾いて写真立てが倒れないようにしている。
【先行技術文献】
【特許文献】
【０００４】
【特許文献１】実登第３０２４９８０号
【考案の概要】
【考案が解決しようとする課題】
【０００５】
しかるに上述した写真立ては写真一枚用のものであって、見開き用の写真フレームには適用し難い。すなわち見開き用の写真フレームの左右の頁を上記写真立ての規制帯で繋ぐと、それぞれの写真を見開いて飾ることができなくなってしまう。さらに規制帯が着脱可能で、写真フレームを見開くときに規制帯を取り外すことができても、取り外した規制帯を別途保管する手間が掛かるばかりでなく、紛失する恐れもある。
【０００６】
ところで、縦横両方の写真を飾れても、卓上に一定のスペースを確保しなければ写真立てを置くことができない。このためスペースが足らず大切な写真を飾れないことがあった。
【０００７】
そこで本考案の目的は、写真の向きや飾る場所に応じて容易に変形できる写真フレームを提供することにある。
【課題を解決するための手段】
【０００８】
上記課題を解決するために、本考案による写真フレームの特徴は、二つ折り可能な本体部の左右の頁の少なくとも一方から引っ掛け具を設け、この引っ掛け具が設けてある頁と異なる頁に設けた係止部に、本体部の外側から引っ掛け具の先端を係止することにある。
【０００９】
すなわち本考案による写真フレームは、左右の頁に写真を収納する二つ折り可能な本体部と、この本体部の下端部の左右の外側付近の少なくとも一方から設けた引っ掛け具と、上端部の左右の外側付近から設けた係止部とを備えている。上記本体部は、矩形の土台部材とこの土台部の左右の頁それぞれに設ける窓枠部材とが重なって構成されている。卓上で横向きの写真を飾る場合、それぞれの写真が外側を向くように上記本体部を折り、上記引っ掛け具の先端をこの引っ掛け具が設けてある頁と異なる頁に設けた係止部に係止し、この本体部の左端部と右端部とを底部にしてこの本体部を置く。
【００１０】
さらにこの写真フレームを用いて卓上で縦向きの写真を飾る場合、それぞれの写真が内側を向くように上記本体部を折り、上記引っ掛け具の先端をこの引っ掛け具が設けてある頁と同じ頁に設けた係止部にこの本体部の外側から係止し、又はそれぞれの写真が外側を向くように上記本体部を折り、上記引っ掛け具の先端をこの引っ掛け具が設けてある頁と異なる頁に設けた係止部に係止し、上記本体部の下端部を底部にしてこの本体部を置くことが望ましい。
【００１１】
さらにこの写真フレームを壁に掛けて写真を飾る場合、この写真の向きに応じて、上記引っ掛け具の先端をこの引っ掛け具が設けてある頁と同じ頁に設けた係止部にそれぞれ係止して一方の引っ掛け具で上記本体部を吊下げ、又はそれぞれの引っ掛け具でこの本体部を吊下げることが望ましい。
【００１２】
また上記窓枠部材の裏面には、上記写真を挿入する挿入溝と、上記引っ掛け具を挿通する挿通溝とが設けてあり、上記引っ掛け具は、上記挿入溝及び上記挿通溝を介して上記本体部を貫通し、この引っ掛け具の末端に上記係止部が設けてあることが望ましい。
【００１３】
ここで「二つ折り可能な本体部」とは、内側にも外側にも折ることができるものを意味する。本体部の「下端部の左右の外側付近」及び「上端部の左右の外側付近」とは、下端部及び上端部の最左端及び最右端からやや内側の部分までが該当する。
【００１４】
本体部を構成する「土台部材」とは、横長の長方形の台紙が該当し、この土台部の上に少なくとも窓枠部材が重なり合って本体部を構成する。「窓枠部材」とは、写真の寸法に併せて中央を切り抜き本体部の左右の頁にそれぞれ設ける台紙が該当する。なお、土台部材と窓枠部材との間には、厚みを増すために複数の板状部材が設けてあってもよい。
【００１５】
「引っ掛け具」とは、紐状や棒状のもので、本体部の下端部から着脱可能に設けたもののみならず、接着剤やピン等で固定するものが該当する。引っ掛け具を着脱可能に設けるには、引っ掛け具を本体部の下端部から上端部まで貫通させ、上端部側でこの引っ掛け具が抜けないように団子状に結ぶ他、下端部に孔を設けてこれに結び付けてもよい。引っ掛け具の先端には、係止部に引っ掛けて係止する輪っかやフックが設けてある。引っ掛け具の素材は、紐に限らず、毛糸、ワイヤー、ビニールテープ、及びゴム等が該当する。
【００１６】
「係止部」とは、引っ掛け具の先端が引っ掛かる球状、多角形状又はフック状のものを意味し、本体部の上端部から着脱可能に設けたもののみならず、接着剤やピン等で固定するものが該当する。係止部を着脱可能に設けるには、本体部を貫通した引っ掛け具の末端に設ける他、上端部に孔を設けてこれに結び付けてよい。係止部の素材は、木やプラスチックのビーズに限らず、金属のフック等が該当する。
【００１７】
「それぞれの写真が外側を向くように上記本体部を折り」とは、本体部が見開いた状態（１８０°）から外側表面が接触する状態（３６０°）までのことを意味する。本体部を折り曲げる角度は、好ましくは２９０°〜３４０°で、より望ましくは３００°〜３３０°である。一方、「それぞれの写真が内側を向くように上記本体部を折り」とは、本体部が閉じた状態（０°）から見開いた状態（１８０°）までのことを意味する。本体部を折り曲げる角度は、好ましくは９０°〜１５０°で、より望ましくは１１０°〜１３０°である。
【００１８】
「引っ掛け具が設けてある頁と異なる頁」とは、例えば引っ掛け具が本体部の左の頁に設けてある場合、右の頁を示す。一方、「引っ掛け具が設けてある頁と同じ頁」とは、例えば引っ掛け具が本体部の左の頁に設けてある場合、左の頁を示す。
【００１９】
窓枠部材の「挿入溝」とは、写真又はこの写真を挟んだフィルムを収納する部分が該当する。「挿通溝」とは、例えば本体部の下端部から上端部を貫通する引っ掛け具が通る部分が該当する。
【００２０】
「引っ掛け具の末端に上記係止部が設けてある」とは、例えば係止部に設けた貫通孔に引っ掛け具の末端を通し、この末端を片結びして係止部が外れないようにしてあるものが該当する。
【考案の効果】
【００２１】
本考案における写真フレームは、卓上で横向きに写真を飾る場合、それぞれの写真が外側を向くように上記本体部を折り、上記引っ掛け具の先端をこの引っ掛け具が設けてある頁と異なる頁に設けた係止部に係止することにより、引っ掛け具が対角線状に張られるため、この本体部の左右の頁がそれぞれ逆方向に拡がらず、左端部と右端部とが底部、すなわち脚となってこの本体部を転倒させず安定に置くことができる。したがって横写真用のフレームを別途購入することなく、手間を掛けずに容易に写真フレームを変形することができる。
【００２２】
さらに卓上で縦向きの写真を飾る場合、それぞれの写真が内側を向くように上記本体部を折り、上記引っ掛け具の先端をこの引っ掛け具が設けてある頁と同じ頁に設けた係止部に本体部の外側から係止することにより、引っ掛け具が固定されて揺動しないため、見場がよい。またそれぞれの写真が外側を向くように上記本体部を折り、上記引っ掛け具の先端をこの引っ掛け具が設けてある頁と異なる頁に設けた係止部に係止することにより、引っ掛け具が対角線状に張られるため、この本体部の左右の頁がそれぞれ逆方向に拡がらず、上記本体部の上端部又は下端部が底部、すなわち脚となってこの本体部を転倒させず安定に置くことができる。したがって縦写真用のフレームを別途購入することなく、横写真用から縦写真用へ手間を掛けずに容易に写真フレームを変形することができる。
【００２３】
さらに壁に掛けて写真を飾る場合、写真の向きに応じて、上記引っ掛け具の先端をこの引っ掛け具が設けてある頁と同じ頁に設けた係止部にそれぞれ係止することにより、一方の引っ掛け具が吊り下げ用の紐となって上記本体部を吊下げることができるため、横写真専用の壁掛フレームに容易に変形することができる。またそれぞれの引っ掛け具でこの本体部を吊下げることにより、それぞれの引っ掛け具で吊り下げ用の紐を形成して縦写真用の壁掛フレームに容易に変形することができる。したがって卓上用として写真フレームを置くスペースが無くとも、向きによらずどの写真も飾ることができる。
【００２４】
また窓枠部材の裏面に設けてある挿入溝及び挿通溝を介して引っ掛け具が本体部を貫通し、この引っ掛け具の末端に上記係止部が設けてあることにより、引っ掛け具及び係止部を本体部に固定せずに着脱可能に設けることができる。したがって引っ掛け具を引っ張れば容易に本体部から取り外すことができるため、卓上用の従来型縦写真フレームにも手間無く変形することができる。さらに引っ掛け具が挿通溝を通過することにより、この引っ掛け具が横方向にずれ難く、真っ直ぐ這わすことができる。
【図面の簡単な説明】
【００２５】
【図１】写真フレームの正面図及び底面図である。
【図２】写真フレームを卓上用として使う場合の斜視図である。
【図３】写真フレームを卓上用として使う場合の斜視図である。
【図４】写真フレームを壁掛け用として使う場合の斜視図である。
【図５】窓枠部材の裏面及び一部断面を示す図である。
【考案を実施するための形態】
【００２６】
図１〜図５を参照しつつ、本考案による写真フレームの構成及び作用効果を説明する。
【００２７】
さて図１は、写真を飾る前の写真フレームを見開いた状態で、図１（Ａ）はこの写真フレームの内側表面、図１（Ｂ）は写真フレームの上端をそれぞれ示す。図１（Ａ）及び図１（Ｂ）に示すとおり、この写真フレームは、左右それぞれの頁にＬ判サイズの写真を収納し、これらの写真が内側にも外側にも向くように二つ折り可能な本体部１と、この本体部の下端部１ａの左右の外側付近からた引っ掛け具２Ｌ、２Ｒと、上端部１ｂの左右の外側付近から設けた係止部３Ｌ、３Ｒとを備えている。
【００２８】
本体部１は、矩形の土台部材１１と、この土台部材の左右の頁それぞれに設けた窓枠部材１２、１２と、この土台部材と窓枠部材との間に挟まっている複数の板状部材とが重なって構成されている。なお複数の板状部材には、土台部材を補強する厚紙や、厚みを増すボール紙等が含まれる。
【００２９】
土台部材１１は、縦１６４ｍｍ、横２６９ｍｍ、厚さ約０．５ｍｍの長方形の厚紙で、長手方向に直交する向きに折れ曲がる幅約１０ｍｍの屈折部１１ａを有する。屈折部１１ａには、窓枠部材１２、１２等が重ならないため折れ曲がり易い。窓枠部材１２、１２は、縦１６４ｍｍ、横１２７ｍｍ、厚さ約１ｍｍの厚紙で、Ｌ判サイズの写真に併せて中央が切り抜いてあり、屈折部１１ａを境に左右の頁それぞれに設けてある。なお土台部材及び窓枠部材の表面に、模様、柄、又はイラストを施した和紙、包装紙及び布地等を貼り付けてもよい。
【００３０】
引っ掛け具２Ｌ、２Ｒは、直径約１ｍｍの紐で、本体部１の下端部から着脱可能に設けてある。詳細には、本体部１の下端部１ａの最左端及び最右端よりそれぞれやや内側で、窓枠部材１２、１２の窓枠部分の外側縦辺と平行にこの窓枠部分から外にはみ出さないように、この本体部を下端部から上端部まで貫通している。また引っ掛け具２Ｌ、２Ｒの先端には、係止部３Ｌ、３Ｒに引っ掛けて係止する輪っかが設けてある。引っ掛け具２Ｌ、２Ｒの最先端から本体部１の下端部１ａまでの長さは、少なくとも左端部１ｃ及び右端部１ｄの長さ以上ある。
【００３１】
係止部３Ｌ、３Ｒは、直径約６ｍｍの球状の木製ビーズで、本体部１の上端部１ｂから着脱可能に設けてある。詳細には、係止部３Ｌ、３Ｒの中央には引っ掛け具２Ｒ、２Ｌが挿通する貫通孔が設けてあり、本体部１を貫通したこの引っ掛け具の末端に係止部３Ｌ、３Ｒを挿通して、この末端を結んで脱落を防止している。
【００３２】
このような構成により、引っ掛け具２Ｌを同じ左頁に設けた係止部３Ｌに、引っ掛け具２Ｒを同じ右頁に設けた係止部３Ｒに、本体部１の内側から引っ掛ければ、これらの引っ掛け具が外側から見えないように写真フレームを閉じることができる。このため片手でも持ち運びし易い。
【００３３】
図２は、図１で説明した写真フレームに横向きの写真を収納して卓上で飾っている状態を示す。図２に示すとおり、本体部１が見開いた状態（１８０°）から写真が外側を向くように屈折部１１ａを折り曲げ、この角度が約３１５°になった状態で写真フレームを横向きに置く。このとき引っ掛け具２Ｌの先端は係止部３Ｒに、引っ掛け具２Ｒの先端は係止部３Ｌにそれぞれ交差するように引っ掛けてある。
【００３４】
このような構成により、引っ掛け具２Ｌ、２Ｒが対角線状に張られるため、本体部１の左右の頁がそれぞれ逆方向に拡がらず、左端部１ｃと右端部１ｄとが脚となりこの本体部が転倒せず安定に置くことができる。したがって横写真用のフレームを別途購入することなく、手間を掛けずに容易にこの写真フレームを変形することができる。
【００３５】
なお引っ掛け具２Ｌ、２Ｒ同士を係止具３Ｌ、３Ｒに引っ掛けず、蝶々結び等で結んでもよい。これにより引っ掛け具２Ｌ、２Ｒの結ぶ長さを調節すれば、本体部１を折り曲げる角度を柔軟に変えることができる。
【００３６】
図３は、図１で説明した写真フレームに縦向きの写真を収納して卓上で飾っている状態を示す。図３（Ａ）に示すとおり、本体部１が閉じた状態（０°）から写真が内側を向くように屈折部１１ａを折り曲げ、この角度が約１２０°になった状態で写真フレームを縦向きに置く。このとき引っ掛け具２Ｌの先端は係止部３Ｌに、引っ掛け具２Ｒの先端は係止部３Ｒに、それぞれ本体部１の外側から引っ掛けてある。
【００３７】
このような構成により、引っ掛け具２Ｌ、２Ｒは外側に隠れて内側からは見えないため、外観を損ねることなく写真を飾ることができる。
【００３８】
また図３（Ｂ）に示すとおり、本体部１が見開いた状態（１８０°）から写真が外側を向くように屈折部１１ａを折り曲げ、この角度が約３１５°になった状態で写真フレームを縦向きに置く。このとき引っ掛け具２Ｌの先端は係止部３Ｒに、引っ掛け具２Ｒの先端は係止部３Ｌにそれぞれ交差するように引っ掛けてある。
【００３９】
このような構成により、引っ掛け具２Ｌ、２Ｒが対角線状に張られるため、本体部１の左右の頁がそれぞれ逆方向に拡がらず、下端部１ａが脚となりこの本体部が転倒せず安定に置くことができる。したがって横写真用のフレームを別途購入することなく、手間を掛けずに容易にこの写真フレームを変形することができる。
【００４０】
図４は、図１で説明した写真フレームを壁掛けにして写真を飾っている状態を示す。図４（Ａ）に示すとおり、本体部１が見開いた状態で、引っ掛け具２Ｌの先端が係止部３Ｌに、引っ掛け具２Ｒの先端が係止部３Ｒに、それぞれ外側から引っ掛けてある。ここで本体部１の左端部１ｃを上にし、引っ掛け具２Ｌの緩みを利用してピンＰに引っ掛ければ、横写真用の壁掛け写真フレームになる。
【００４１】
このような構成により、引っ掛け具２Ｌが吊り下げ用の紐となって本体部１を吊下げることができるため、横写真専用の壁掛けフレームに容易に変形することができる。なお引っ掛け具２Ｒを吊り下げ用の紐にして飾っても何ら問題はない。
【００４２】
また図４（Ｂ）に示すとおり、本体部１が見開いた状態で下端部１ａを上にし、引っ掛け具２Ｌ、２Ｒのそれぞれの先端をピンＰ、Ｐに引っ掛けると、縦写真用の壁掛け写真フレームになる。
【００４３】
このような構成により、引っ掛け具２Ｌ、２Ｒがそれぞれ吊り下げ用の紐となって本体部１を吊下げることができるため、縦写真専用の壁掛けフレームに容易に変形することができる。
【００４４】
図５は、窓枠部材の裏面と写真及び引っ掛け具との位置関係を示す。同図に示すとおり、窓枠部材１２の裏面には、矢印の方向から写真を挿入する挿入溝１２ａと、引っ掛け具を挿通する挿通溝１２ｂ、１２ｂとが設けてある。詳細には、Ｌ判サイズの写真Ｆに併せて切り抜いた中央部分を囲むようにして左右側及び後方側に台紙が重ねてあり、挿入溝１２ａは左右及び後方の台紙に囲まれた部分、挿通溝１２ｂ、１２ｂは左側及び後方の台紙、右側及び後方の台紙でそれぞれ挟まれた通路状の部分を示す。なお窓枠部材１２は本体部の左右いずれの頁に用いてよい。
【００４５】
例えば引っ掛け具２Ｌは、挿入溝１２ａ及び右側の挿通溝１２ｂを介して本体部を貫通しており、この引っ掛け具の末端には係止部３Ｌが設けてある。すなわち窓枠部材１２と板状部材とを接着剤等で重ね合わせる前に、引っ掛け具２Ｌをこの窓枠部材に切り抜いた窓枠部分の外側縦辺及び右側の台紙側辺と平行に這わせて貫通させる。このとき引っ掛け具２Ｌは挿通溝１２ｂを通過している。
【００４６】
このような構成により、引っ掛け具２Ｌ及び係止部３Ｌを本体部に固定せずに着脱可能に設けることができる。したがって引っ掛け具２Ｌを引っ張れば容易に本体部から取り外すことができるため、卓上用の縦写真フレームにも手間無く変形することができる。さらに引っ掛け具２Ｌが挿通溝１２ｂを通過することにより、この引っ掛け具が横方向にずれ難く、真っ直ぐ這わすことができる。
【００４７】
以上のとおり、本実施形態における写真フレームは、左右の頁にそれぞれ横向き又は縦向きの写真を収納し、卓上にも壁にも飾ることができる。写真フレームを変形するには、引っ掛け具を所望の係止部に引っ掛けるだけでよく、手間が掛からない。また本体部はシンプルな構造で、引っ掛け具及び係止部も容易に取り付けられるため、製造コストが嵩まない。したがってプリントした写真を飾るフレームとしては画期的なものである。
【００４８】
なお、本実施形態における写真フレームは一例にすぎず、各部材や各具材及びこれらの部位の寸法や形状に限定はないため、本考案はＬ判より大きいサイズや小さいサイズの写真を収納する写真フレームにも適用可能である。
【産業上の利用可能性】
【００４９】
本考案における写真フレームは、写真やイラスト以外にカレンダーやスケジュール等も収納することができるため、オフィス器具に関する産業に広く利用可能である。
【符号の説明】
【００５０】
１                本体部
１ａ              下端部
１ｂ              上端部
１ｃ              左端部
１ｄ              右端部
１１              土台部材
１１ａ            屈折部
１２              窓枠部材
１２ａ            挿入溝
１２ｂ            挿通溝
２、２Ｌ、２Ｒ    引っ掛け具
３、３Ｌ、３Ｒ    係止部
【図１】
0003172261.tif 000003
【図２】
0003172261.tif 000004
【図３】
0003172261.tif 000005
【図４】
0003172261.tif 000006
【図５】
0003172261.tif 000007